【手続補正書】
【提出日】平成15年6月30日(2003.6.30)
【手続補正１】
【補正対象書類名】明細書
【補正対象項目名】特許請求の範囲
【補正方法】変更
【補正の内容】
【特許請求の範囲】
【請求項１】
隣接したインベストメント鋳造用原型セグメント間に溶着部を形成する継ぎ目工具において、該継ぎ目工具が、インベストメント鋳造用原型セグメントによって限定された継ぎ目領域の周りに位置決めされるよう形作られた剛性裏張りを含み、上記剛性裏張りは噴射ポート、ガス出口ポート及び剛性裏張りの表面上の弾性ライニングを含み、上記弾性ライニングは、継ぎ目工具が継ぎ目領域の周りに位置決めされたとき１つまたは複数の原型セグメントに接触することを特徴とする継ぎ目工具。
【請求項２】
弾性材料は補償溝を含むことを特徴とする請求項１に記載の装置。
【請求項３】
弾性材料に一体に形成された空気袋を更に含むことを特徴とする請求項１に記載の装置。
【請求項４】
剛性裏張りは、金属、合金、木材、ポリマー材料、及びそれらの組み合わせからなるグループから選択された材料から形成されることを特徴とする請求項１に記載の装置。
【請求項５】
貫通壁クランプを更に含むことを特徴とする請求項１に記載の装置。
【請求項６】
溶着部形成材料の逆流を防止するための噴射用具を更に含むことを特徴とする請求項１に記載の装置。
【請求項７】
噴射ポートに連結するように寸法決めされた弁部分をもち、上記弁部分は隔膜を限定する頂壁をもつことを特徴とする請求項６に記載の装置。
【請求項８】
隣接したインベストメント鋳造用原型セグメント間に継ぎ目を形成する継ぎ目形成工具において、
２つの隣接した原型セグメントによって限定された継ぎ目領域の周りに位置決めされるよう形作られた剛性裏張りと、
継ぎ目領域の周りに剛性裏張りを締め付けるための原型セグメント締め付け手段を含み、
剛性裏張りと締め付け手段のうちの少なくとも一方は溶着部形成材料を受け入れるための噴射ポートと出口ポートを含むことを特徴とする継ぎ目形成工具。
【請求項９】
締め付け手段はシール手段を含むことを特徴とする請求項８に記載の装置。
【請求項１０】
シール手段は弾性材料から形成されることを特徴とする請求項９に記載の装置。
【請求項１１】
シール手段は補償溝を含むことを特徴とする請求項９に記載の装置。
【請求項１２】
補償溝の寸法は可変であることを特徴とする請求項１１に記載の装置。
【請求項１３】
複数の出口ポートに流体連結された複数の噴射ポートを含むことを特徴とする請求項８に記載の装置。
【請求項１４】
噴射ポートに連結するよう寸法決めされた弁部分をもつ噴射用具を更に含み、上記弁部分は溶着部形成材料の逆流を防止するための隔膜を限定する頂壁をもつことを特徴とする請求項１３に記載の装置。
【請求項１５】
複数の隣接して位置決めされたインベストメント鋳造用原型セグメント間に溶着部を形成する方法において、
少なくとも２つのインベストメント鋳造用原型セグメントを準備し、
上記少なくとも２つのインベストメント鋳造用原型セグメントをそれらの間に継ぎ目領域を限定するようお互いに隣接して位置決めし、
剛性裏張り、剛性裏張りの内面上の弾性材料、溶着部形成材料受け入れポート、及び上記受け入れポートに流体連結された出口ポートを含む継ぎ目工具を準備し、
剛性裏張りの内面上の弾性材料が継ぎ目領域に接触するよう上記継ぎ目領域の周りに継ぎ目工具を位置決めし、そして
溶着部を形成するために噴射ポート内に溶着部形成材料を導入すること、
を含むことを特徴とする方法。
【請求項１６】
原型セグメントは受け入れ部に連結されていることを特徴とする請求項１５に記載の方法。
【請求項１７】
該プロセスはコンピュータ制御されることを特徴とする請求項１５に記載の方法。
【請求項１８】
溶着部形成材料は満たされない(unfilled)ワックス、満たされた(filled)ワックス、原型ワックス(pattern)、にかわワックス及びゲートワックスからなるグループから選択されることを特徴とする請求項１５に記載の方法。
【請求項１９】
溶着部形成材料はゲートワックスとすることを特徴とする請求項１５に記載の方法。
【請求項２０】
継ぎ目工具がそれに作動連結された噴射用具を含み、上記噴射用具が隔膜を含んでなる請求項１５に記載の方法において、該方法が、
隔膜を通して溶着部形成材料噴射ノズルを導入し、そして
溶着部形成材料を継ぎ目領域内に導入すること、
を更に含むことを特徴とする方法。
【請求項２１】
噴射ノズルは噴射用具を貫通する噴射ノズルの突入を調整するための深さ止めを取り付けられていることを特徴とする請求項２０に記載の方法。
【請求項２２】
継ぎ目領域内への溶着部形成材料の導入を容易にするために真空吸引することを更に含むことを特徴とする請求項１５に記載の方法。
【請求項２３】
インベストメント鋳造用原型セグメント間にワックスシールを形成する方法において、
少なくとも２つのインベストメント鋳造用原型セグメントを準備し、
インベストメント鋳造用原型セグメントを継ぎ目領域を限定するようお互いに隣接して位置決めし、
隣接して位置決めされたインベストメント鋳造用原型セグメントによって限定された継ぎ目領域を位置決めするための継ぎ目工具を準備し、上記継ぎ目工具は剛性裏張りと、継ぎ目工具を原型セグメントに締め付けるための原型セグメント締め付け手段を含み、上記剛性裏張りと締め付け手段のうちの少なくとも一方は溶着部形成材料を受け入れるための噴射ポートと出口ポートを含んでおり、更に
継ぎ目工具を継ぎ目領域の周りに締め付け、そして
溶着部形成材料を噴射ポート内に導入すること、
を含むことを特徴とする方法。
【請求項２４】
締め付け手段はシール手段を含むことを特徴とする請求項２３に記載の方法。
【請求項２５】
シール手段は弾性材料から形成されることを特徴とする請求項２４に記載の方法。
【請求項２６】
シール手段は補償溝を含むことを特徴とする請求項２４に記載の方法。
【請求項２７】
継ぎ目工具は複数の出口ポートに流体連結された複数の噴射ポートを含むことを特徴とする請求項２３に記載の方法。
【請求項２８】
継ぎ目工具中の噴射ポート用の用具において、上記用具は、第１の実質上平らな表面をもつ壁と、噴射ノズルを受け入れるための凹み部分と、噴射ポートに連結するために寸法決めされた上方に延在する弁部分とを含み、上記弁は隔膜を限定する頂壁をもつことを特徴とする用具。
【請求項２９】
隣接した原型セグメント間に溶着部を形成するための継ぎ目工具において、
お互いに隣接した少なくとも２つの原型セグメントによって限定された継ぎ目領域の周りに位置決めされるよう形作られた剛性裏張りを含み、上記剛性裏張りは更に噴射ポートとガス出口ポートを含んでおり、そして
原型セグメントの表面と接触してそれとシールを形成する剛性裏張りの表面上の弾性ライニングを含み、上記弾性ライニングは空気噴射ポートに流体連結された空気袋を更に含んでいること、
を特徴とする継ぎ目工具。
【請求項３０】
隣接した原型セグメント間に溶着部を形成するための継ぎ目工具において、
お互いに隣接した少なくとも２つの原型セグメントによって限定された継ぎ目領域の周りに位置決めされるよう形作られた剛性裏張りを含み、上記剛性裏張りは噴射ポートと出口ポートを更に含んでおり、そして
原型セグメントの表面に接触してそれとシールを形成する剛性裏張りの表面上の弾性ライニングを含み、上記弾性ライニングは補償溝と空気噴射ポートに流体連結された空気袋を更に含んでいること、
を特徴とする継ぎ目工具。
【請求項３１】
隣接したインベストメント鋳造用原型セグメント間に溶着部を形成する継ぎ目工具において、
間に継ぎ目領域を限定するようお互いに隣接した少なくとも２つのインベストメント鋳造用原型セグメントによって限定された継ぎ目領域の周りに位置決めするよう形作られた剛性の金属裏張り部分と、
原型セグメントの表面と接触してそれとシールを形成するための剛性裏張りの表面上の弾性ライニングを含み、上記弾性ライニングは補償溝と、空気噴射ポートに流体連結された空気袋を更に含んでおり、更に
継ぎ目領域の周りに裏張り部分を締め付けそして弾性ライニングを原型セグメントの表面に押しつけるための締め付け手段を含み、上記剛性裏張りと締め付け手段のうちの少なくとも一方は、溶着部形成材料を受け入れるための噴射ポートと、出口ポートを含んでおり、更に
噴射ポートに連結するための噴射用具を含み、上記噴射用具は溶着部形成材料を継ぎ目領域に導入するための噴射ノズルを受け入れるよう作動する隔膜をもつことを特徴とする継ぎ目工具。
【請求項３２】
隣接したインベストメント鋳造用原型セグメント間に溶着部を形成するためのシステムにおい、
インベストメント鋳造用原型セグメントをお互いに隣接するよう固定状に位置決めするための受け入れ器と、
上記受け入れ器上にお互いに隣接するよう位置決めされた少なくとも２つのインベストメント鋳造用原型セグメントによって限定された継ぎ目領域の周りに置決めするよう形作られた剛性の金属裏張り部分を含み、上記剛性の裏張りは噴射ポートと出口ポートを更に含んでおり、更に
原型セグメントの表面に接触しそしてそれとシールを形成するための剛性裏張りの表面上の弾性ライニングを含み、上記弾性ライニングは補償溝を更に含んでおり、更に
継ぎ目領域の周りに剛性裏張り部分を締め付けそして原型セグメントの表面に対して弾性ライニングを押しつけるためのクランプを含む、
ことを特徴とするシステム。
【請求項３３】
噴射ポートに連結するための噴射用具を更に含み、上記噴射用具は溶着部形成材料を継ぎ目領域に導入するための噴射ノズルを受け入れるよう作動しかつ溶着部形成材料の逆流を防止するよう作動する隔膜をもつこと、
を特徴とする請求項３２に記載のシステム。